(57)【特許請求の範囲】
【請求項１】
画像転写域において複写紙に転写されたトナー像を定着する定着装置より下流側の複写紙搬送経路には搬送ローラと排出ローラが配設されており、該搬送ローラと該排出ローラとの間には搬送される複写紙を該排出ローラ側と送給反転経路側とに切り換える返送反転手段が配設されている静電複写機において、該搬送ローラと該排出ローラとの間における該複写紙搬送経路の上方に対向して配設され該定着装置の上方を覆う定着カバーの垂下部に取付けられ、該複写紙搬送経路を移動する複写紙に接触し複写紙に帯電している静電気を除電する静電複写機の除電装置であって、
該定着カバーの垂下部に装着される装着部と該装着部の下端に接続され所定の角度をもって傾斜して形成された案内部とを備えた導電性材料からなる保持部材と、該保持部材の該案内部の先端に該案内部と同方向に延在して装着されたファイバーブラシとによって構成され、該装着部を該定着カバーの垂下部に装着した状態で複写紙移動方向下流側において該ファイバーブラシが複写紙に対して鋭角で接触する、
ことを特徴とする静電複写機の除電装置。
【発明の詳細な説明】
【０００１】
【産業上の利用分野】
本発明は、静電複写機、更に詳しくは画像転写域において複写紙に転写されたトナー像を定着する定着装置より下流側の複写紙搬送経路に対向して配設され、該複写紙搬送経路上を移動する複写紙に接触し複写紙に帯電している静電気を除電する静電複写機の除電装置に関する。
【０００２】
【従来の技術】
静電複写機は、複写紙供給手段によって転写域に供給された複写紙に、感光体上に形成されたトナー像を転写し、このトナー像が転写された複写紙を定着装置に搬送し定着した後、排出部に向けて搬送するように構成されている。このような静電複写機においては、複写紙には転写時に転写用コロナ放電等の転写電圧が印加されるため、相当の静電気が帯電している。この複写紙に静電気が帯電した状態で排出部に搬送されると、静電気の作用で円滑な複写紙の搬送が阻害されたり、排出された複写紙同士が吸引し合って書類の整理に困難を来す。このような複写紙に帯電する静電気による不具合を解消するために、静電複写機にはトナー像が転写された複写紙を搬送する複写紙搬送経路に複写紙に帯電した静電気を除電する除電装置が配設されている。この除電装置は、機体に取り付けられた導電性装着部材に装着された導電性材料からなる保持部材と、該保持部材の下端部に装着された導電性材料からなるファイバーブラシとからなり、該ファイバーブラシを複写紙搬送経路上を移動する複写紙に接触せしめる構成となっている。
【０００３】
【発明が解決しようとする課題】
而して、従来用いられている除電装置は、複写紙に帯電された静電気を除去する作用をするのみで、他に何らの機能も有していない。一方、トナー像が転写された複写紙は、定着装置にて加熱されるため、搬送中に冷却される際に表裏の温度差によって湾曲する所謂ペーパカールが発生する。このペーパカールの度合いが大きいと、複写紙の搬送不良が生じ、紙詰まりの原因となる。
【０００４】
本発明は、上記の点に鑑みてなされたもので、主たる技術的課題は、複写紙に帯電された静電気を除去するとともに、定着後の複写紙に生ずるペーパカールの量を抑制させつつ複写紙の搬送ガイド機能を具備した静電複写機の除電装置を提供することにある。
【０００５】
【課題を解決するための手段】
上記主たる技術的課題を達成するために、本発明によれば、画像転写域において複写紙に転写されたトナー像を定着する定着装置より下流側の複写紙搬送経路には搬送ローラと排出ローラが配設されており、該搬送ローラと該排出ローラとの間には搬送される複写紙を該排出ローラ側と送給反転経路側とに切り換える返送反転手段が配設されている静電複写機において、該搬送ローラと該排出ローラとの間における該複写紙搬送経路の上方に対向して配設され該定着装置の上方を覆う定着カバーの垂下部に取付けられ、該複写紙搬送経路を移動する複写紙に接触し複写紙に帯電している静電気を除電する静電複写機の除電装置であって、
該定着カバーの垂下部に装着される装着部と該装着部の下端に接続され所定の角度をもって傾斜して形成された案内部とを備えた導電性材料からなる保持部材と、該保持部材の該案内部の先端に該案内部と同方向に延在して装着されたファイバーブラシとによって構成され、該装着部を該定着カバーの垂下部に装着した状態で複写紙移動方向下流側において該ファイバーブラシが複写紙に対して鋭角で接触する、
ことを特徴とする静電複写機の除電装置が提供される。
【０００６】
【作用】
本発明による静電複写機の除電装置は、画像転写域においてトナー像が転写され定着装置によってトナー像が定着された複写紙が、複写紙搬送経路を移動する際に除電装置のファイバーブラシが接触し、複写紙に帯電された静電気がファイバーブラシおよび保持部材を介し導電性装着部材を通して機体にボディーアースされて除電される。また、複写紙は上記除電装置を通過する際に、保持部材の案内部に当接してペーパーカールが抑制されるとともに、案内部によってガイドされて搬送される。
【０００７】
【実施例】
以下、本発明に従って構成された静電複写機の除電装置の好適実施例を示している添付図面を参照して、更に詳細に説明する。
図１は、本発明に従って構成された除電装置を適用する静電複写機における主要構成要素を簡略に図示している。図１に図示する静電複写機は、略直方体形状のハウジング２を具備している。ハウジング２の上面には、複写すべき原稿（図示していない）が載置される静止透明板４と、この透明板４およびその上に載置された原稿を覆うための開閉自在な原稿押え部材６とが配設されている。ハウジング２内の略中央部には、周表面に静電感光体を有する回転ドラム８が回転自在に装着されている。矢印１０で示す方向に回転駆動される回転ドラム８の周囲には、矢印１０を示す方向に見て順次に、帯電域１２、露光域１４、現像域１６、転写域１８およびクリーニング域２０が配設されている。帯電域１２には帯電用コロナ放電器２２が配設され、現像域１６には現像装置２４が配設され、転写域１８には転写用コロナ放電器２６および剥離用コロナ放電器２８が配設され、そしてクリーニング域２０には残留トナー除去ブレード３２が配設されている。
【０００８】
回転ドラム８の上方には、全体を番号３４で示す光学系が配設されている。この光学系３４は、可動原稿照明ランプ３６、第１の可動反射鏡３８、第２の可動反射鏡４０、第３の可動反射鏡４２、静止レンズ組立体４４および静止反射鏡４６を含んでいる。走査露光の際には、可動原稿照明ランプ３６および第１の可動反射鏡３８は、図１に示す走査露光開始位置から実質上水平に右方に例えば最大走査露光終了位置まで所要速度Ｖで移動せしめられ、第２の可動反射鏡４０および第３の可動反射鏡４２は、図１に示す走査露光開始位置から実質上水平に右方に例えば最大走査露光終了位置迄上記所要速度の半分の速度Ｖ／２で移動せしめられる。この際に、上記透明板４上に載置された原稿が可動原稿照明ランプ３６によって照射され、原稿からの反射光が、図１において一点鎖線で示す通り、第１、第２および第３の可動反射鏡３８、４０および４２に順次に反射されてレンズ組立体４４に至り、次いで、静止反射鏡４６に反射されて上記露光域１４において回転ドラム８の感光体上に投射される。走査露光が終了すると、可動原稿照明ランプ３６並びに第１、第２および第３の反射鏡３８、４０および４２は、上記走査露光開始位置に戻される。
【０００９】
ハウジング２の片端部、即ち図１において右端部には、全体を番号４８で示す複写紙供給手段が配設されている。図示の複写紙供給手段４８は、下部カセット受部５０ａ、中間部カセット受部５０ｂおよび上部カセット受部５０ｃを含んでいる。下部カセット受部５０ａ、中間部カセット受部５０ｂおよび上部カセット受部５０ｃには、夫々、異なった寸法のシート状複写紙を収納した数種類の複写紙カセット５２のうちのいずれかが選択的に着脱自在に装着される。下部カセット受部５０ａ、中間部カセット受部５０ｂおよび上部カセット受部５０ｃの各々には、そこに装着された複写紙カセット５２から複写紙を１枚毎送出すための送出ローラ５４ａ、５４ｂおよび５４ｃが配設されている。下部カセット受部５０ａに装着された複写紙カセット５２から送出された複写紙は、複写紙送給経路５６ａを通して全体を番号５８で示す複写紙搬送経路に導入される。中間部カセット受部５０ｂに装着された複写紙カセット５２から送出された複写紙は、複写紙送給経路５６ｂおよび５６ａを通して複写紙搬送経路５８に導入される。上部カセット受部５０ｃに装着された複写紙カセット５２から送出された複写紙は、複写紙送給経路５６ｃ、５６ｂおよび５６ａを通して複写紙搬送経路５８に導入される。複写紙送給経路５６ａは案内板６２および６４によって規定され、複写紙送給経路５６ｂは案内板６６、６８および７０並びに送給ローラ対７２によって規定され、また複写紙送給経路５６ｃは案内板６８、７０、７４および７６並びに送給ローラ対７８によって規定されている。図示の複写紙供給手段４８は、更に、給紙テーブル機構８０を含んでいる。給紙テーブル機構８０は昇降動自在なテーブル（図示せず）を含み、かかるテーブルの上方に送出ローラ８２が配設されている。テーブル機構８０から送出された複写紙は、複写紙送給経路５６ｄおよび後述する複写紙再供給経路を通して複写紙搬送経路５８に導入される。複写紙送給経路５６ｄは、案内板８４および８６並びに送給ローラ対８８によって規定される。
【００１０】
上記複写紙搬送経路５８は、上記案内板６４の下流部および案内板９４の下流部、搬送ローラ対９６、案内板対９８、搬送ローラ対１００、案内板１０２、上記転写域１８（即ち回転ドラム８と転写用コロナ放電器２６および剥離用コロナ放電器２８との間）、搬送ベルト機構１０４、案内板１０６、定着装置を構成する加熱定着ローラ対１０８および案内板対１１０、搬送切換手段１１４によって規定されている。図示の搬送切換手段１１４は、上下方向に配設された３個のローラ、即ち上ローラ１１５、中間ローラ１１６および下ローラ１１７から成る搬送ローラ機構１１８と、搬送切換経路１２１を規定する一対の案内部材、即ち下案内部材１１９および上案内部材１２０を含んでいる。上ローラ１１５、中間ローラ１１６および下ローラ１１７は夫々矢印で示す方向に回動され、また下案内部材１１９および上案内部材１２０は実線で示す下降位置と二点鎖線で示す上昇位置に選択的に位置付けられる。搬送切換手段１１４の下流側には複写紙排出経路１２２が配設されている。複写紙排出経路１２２は、案内板１２３および排出ローラ１２４、１２５によって規定され、これらが複写紙排出手段を構成する。そして、ハウジング２の他端部、即ち図１において左端部には、受皿１２６が着脱自在に装着されている。
【００１１】
上記複写紙搬送経路５８を規定する加熱定着ローラ対１０８の下流側に配設された上記搬送ローラ機構１１８の下流側に隣接して、本発明に従って構成された除電装置が配設されている。以下、図２および図３を参照して除電装置９０について説明する。図示の実施例における除電装置９０は、上記加熱定着ローラ対１０８および搬送ローラ機構１１８の上方を覆う定着カバー９３の垂下部に装着されている。定着カバー９３は、鋼板或いはアルミ板等の導電性材料によって構成されており、図示しない機体に取り付けられ、除電装置９０を装着する導電性装着部材として機能する。除電装置９０は、複写紙搬送経路の上方において複写紙搬送経路に対して略直角に配設された保持部材９１と、該保持部材９１の下端部に装着されたファイバーブラシ９２とからなっている。該保持部材９１は、鋼或いはアルミ等の導電性材料からなる板材を折り重ねて形成されており、装着部９１１と該装着部９１１の下端に接続され所定の角度折り曲げて形成された案内部９１２とを備えている。ファイバーブラシ９２は、ステンレスファイバー等の導電性繊維材からなり、その一部が上記保持部材９１における装着部９１１の下端部から案内部９１２に挟持されている。なお、ファイバーブラシ９２を保持部材９１によって挟持するに際しては、例えば、樹脂テープにステンレスファイバーを貼着し、これを保持部材９１によって挟持することにより容易に装着することができる。このように構成された除電装置９０は、保持部材９１の装着部９１１を上記定着カバー９３にボルト・ナットなどの固定手段９４によって装着する。定着カバー９３に装着された除電装置９０は、案内部９１２が複写紙移動方向下流側に所定の角度をもって傾斜し、搬送される複写紙の搬送ガイド機能を有している。また、ファイバーブラシ９２は、その先端部が複写紙搬送経路上を搬送される複写紙に対して鋭角で接触するように構成されている。
【００１２】
上記搬送切換手段１１４に関連せしめて、送給反転手段１２７及び複写紙返送手段１２８が配設されている。図示の送給反転手段１２７は、複写紙を案内保持する湾曲部を有する送給反転経路１２９を具備しており、この送給反転経路１２９は、湾曲部の外側を形成する外側案内板１３０と湾曲部の内側を形成する内側案内板１３１とによって規定されている。送給反転経路１２９を構成する外側案内板１３０は、図２に示されているように複数個の開口１３２が幅方向に間隔を置いて形成されている。また、送給反転手段１２７は、逆送ローラ１３３も含んでいる。逆送ローラ１３３は、実線で示す非作用位置と二点鎖線で示す作用位置に選択的に位置付けられる。この逆送ローラ１３３は、二点鎖線で示す作用位置に位置付けられると、上記排出ローラの片方の排出ローラ１２５を装着した軸１３４に取り付けられた搬送ローラ１３５に作用する。なお、逆送ローラ１３３は、逆送ローラ作動手段１３６（図２参照）によって非作用位置から作用位置へ作動せしめられる。逆送ローラ作動手段１３６は、回動軸１３８と、上記逆送ローラ１３３を回転自在に装着した軸１３７を回動軸１３８に連結するアーム１３９と、回動軸１３８に連結された作動レバー１４０と、該作動レバー１４０を作動せしめるソレノイド１４１とからなっている。なお、上記回動軸１３８は図示しない付勢手段によって図２において反時計方向に回動すべく付勢されており、従って、ソレノイド１４１が除勢されているときには、図示しない付勢手段の付勢力によって回動軸１３８が反時計方向に回動せしめられ、これによりアーム１３９および軸１３７を介して逆送ローラ１３３が実線で示す非作用位置に位置付けられている。一方、ソレノイド１４１が付勢されると、作動レバー１４０を介して回動軸１３８が図示しない付勢手段の付勢力に抗して時計方向に回動せしめられ、これによりアーム１３９および軸１３７を介して逆送ローラ１３３が二点鎖線で示す作用位置に位置付けられる。
【００１３】
上記複写紙返送手段１２８は返送手段１５０と返送制御手段１５２を備え、搬送切換機構１１４の上流端に隣接する上流端から図１において左から右に幾分下方に傾斜して延びる複写紙返送経路１５４を規定する。図示の返送手段１５０は、案内板対１５６、搬送ローラ対１５８、案内板対１６０、搬送ローラ対１６２、案内板対１６４、搬送ローラ対１６６および案内板対１６８を備え、複写紙返送経路１５４の上流側部を規定し、また図示の返送制御機構１５２は、搬送ローラ対１７０、揺動部材１７２、案内板１７４、搬送ローラ対１７６、揺動部材１７８、案内板１８０および搬送ローラ対１８２を備え、複写紙返送経路１５４の下流側部を規定する。揺動部材１７２および１７８は、図１において実線で示す位置と図１に二点鎖線で示す位置との間を揺動自在である。図１を参照することによって容易に理解される如く、搬送切換機構１１４の下案内部材１１９及び上案内部材１２０が実線で示す下降位置に位置付けられているときには、複写紙搬送経路５８と複写紙排出経路１２２とが、搬送切換機構１１４における搬送切換経路１２１を介して相互に連通される。一方、下案内部材１１９及び上案内部材１２０が二点鎖線で示す上昇位置に位置付けられると、複写紙搬送経路５８と上記送給反転経路１２９とが、搬送切換機構１１４における搬送切換経路１２１を介して相互に連通せしめられるとともに、上記送給反転経路１２９と複写紙返送経路１５４とが、搬送切換機構１１４における搬送切換経路１２１を介して相互に連通せしめられる。
【００１４】
図示の静電複写機においては、更に上記複写紙返送経路１５４の下方に全体を番号１９０で示す複写紙再送手段が配設されている。この複写紙再送手段１９０は、受台１９２を有する。図示の実施例では、受台１９２の前部は受ブロック１９４の上面によって規定され、またその後部は受ブロック１９４の上面に幅方向（図１において紙面に垂直な方向）に間隔を置いて設けられた受突条１９６の上縁によって規定されている。かかる受台１９２の後部は複写紙送給方向に向けて幾分下方に傾斜して延びており、またその前部は実質上水平に延びている。受台１９２の前端、即ち図１において右端には、停止手段１９８が配設されている。かかる停止手段１９８は、実線で示す作用位置と二点鎖線で示す非作用位置とのいずれかに選択的に位置付けられる。上記受台１９２の前端部上方には、送給ローラ２００が設けられている。この送給ローラ２００は、受台１９２の上面に接触する位置（図１において二点鎖線で示す位置）から所定位置（図１において実線で示す位置）まで上方へ自由に移動し得るように装着されており、通常はそれ自体の重量（必要ならば適宜のばね手段）による偏倚作用によって下方へ強制されている。更に、上記複写紙再送手段１９０の前端から上記複写紙搬送経路５８の上流端９０まで延びる、全体を番号２０２で示す複写紙再供給経路が設けられている。この複写紙再供給経路２０２を規定する複写紙再供給手段は、分離ローラ対２０４、案内板対２０６、再供給ローラ対２０８、案内板対２１０、再供給ローラ対２１２、案内板８４、８６、２１４、再供給ローラ対２１６及び案内板９４、２１８を備えている。
【００１５】
図示の実施例による静電複写機は以上のように構成されており、以下その作用について説明する。
回転ドラム８は矢印１０で示す方向に回転せしめられ、帯電域１２においては、帯電用コロナ放電器２６によって回転ドラム８上の感光体の表面が特定極性に帯電され、露光域１４においては、透明板４上に載置された原稿の像が光学系３４によって感光体上に走査露光され、かくして感光体上に静電潜像が形成される。現像域１６においては、現像装置２４によって感光体上の静電潜像にトナーが施されて静電潜像がトナー像に現像される。転写域１８においては、転写域１８を通して搬送される複写紙（複写紙の搬送については後に詳細に述べる）が感光体の表面に接触せしめられ、転写用コロナ放電器２６の作用によって感光体上のトナー像が複写紙上に転写される。次いで、剥離用コロナ放電器２８の作用によって感光体から複写紙が剥離される。剥離された複写紙は、加熱定着ローラ対１０８に搬送され、この加熱定着ローラ対１０８を通る際にトナー像が複写紙上に定着される。一方、クリーニング域２０においては、残留トナーブレード３２の作用によって感光体の表面から残留トナーが除去される。
【００１６】
次に、複写紙の搬送について説明すると、次の通りである。最初に、複写紙の片面のみに画像を形成する場合について説明すると、この場合には、搬送切換機構１１４の下案内部材１１８および上案内部材１２０は、実線で示す下降位置に位置付けられる。下部カセット受部５０ａ、中間部カセット受部５０ｂ又は上部カセット受部５０ｃに装着された複写紙カセット５２、或いは給紙テーブル機構８０のテーブル（図示せず）から複写紙搬送経路５８に導入された複写紙は、複写紙搬送経路５８を通して搬送される。この間には、転写域１８において複写紙の片面（即ち上面）にトナー像が転写され、そしてかかるトナー像が加熱定着ローラ対１０８の作用によって複写紙の片面上に定着され、かくして複写紙の片面に画像が形成される。次いで、複写紙は、搬送切換機構１１４の上ローラ１１５および中間ローラ１１６間を通って複写紙搬送経路５８から搬送切換経路１２１に導入される。このとき、複写紙は湾曲する傾向があるが、除電装置９０を構成する保持部材９１の案内部９１２に当接してペーパーカールが抑制されるとともに、案内部９１２によってガイドされて搬送切換経路１２１に搬送される。そして、この間に複写紙にファイバーブラシ９２が接触して、複写紙に帯電している静電気がファイバーブラシ９２、保持部材９１および定着カバー９３を介して機体にボディーアースされ除電される。上記のようにして搬送切換経路１２１に搬送された複写紙は、排出ローラ１２４、１２５によって受皿１２６に排出される。このようにして、その片面に画像が形成されている複写物が得られる。
【００１７】
複写紙の両面に画像を形成する場合には、最初に、搬送切換機構１１４の下案内部材１１９および上案内部材１２０が二点鎖線で示す上昇位置に位置付けられる。次いで、複写工程が開始されると、下部カセット受部５０ａ、中間部カセット受部５０ｂまたは上部カセット受部５０ｃに装着された複写紙カセット５２、或いは給紙テーブル機構８０のテーブル（図示せず）から複写紙搬送経路５８に導入された複写紙は、複写紙搬送経路５８を通して搬送される。この間には、転写域１８において複写紙の片面（即ち上面）にトナー像が転写され、そしてかかるトナー像が加熱定着ローラ対１０８の作用によって複写紙の片面上に定着され、かくして複写紙の片面に画像が形成される。複写紙搬送経路５８からの複写紙は、搬送切換機構１１４の上ローラ１１５および中間ローラ１１６間を通って搬送切換経路１２１に導入され、搬送切換経路１２１を通して送給反転機構１２７の上記送給反転経路１２９中を進む。このとき、複写紙は湾曲する傾向があるが、上記のように除電装置９０を構成する保持部材９１の案内部９１２に当接してペーパーカールが抑制されるとともに、案内部９１２によってガイドされて搬送切換経路１２１に搬送される。そして、この間に複写紙にファイバーブラシ９２が接触して、複写紙に帯電している静電気がファイバーブラシ９２、保持部材９１および定着カバー９３を介して機体にボディーアースされ除電される。上記のようにして送給反転経路１２９に導入された複写紙は、その下面が所定方向に回転駆動されているところの排出ローラの上側に位置する一方の排出ローラ１２５に接触するが、この一方の排出ローラ１２５と複写紙との間には滑りが生成され、それ故に、複写紙は、かかるローラが回転駆動されているにもかかわらず、所定方向に進行することができる。複写紙の後端が複写紙搬送経路５８の下流端を通過すると（詳細には上ローラ１１５及び中間ローラ１１６のニップ部位を通過すると）、上記ソレノイド１４１が付勢され、送給反転経路１２９の上流端に設けられている逆送ローラ１３３が二点鎖線で示す作用位置に位置付けられ、これによって複写紙が排出ローラ１２５を装着した軸１３４に取り付けられた搬送ローラ１３５に押付けられる。この結果、所定方向に回転駆動されているところの上記搬送ローラ１３５の作用により、複写紙は前後を逆にして搬送切換経路１２１を通して進行され、中間ローラ１１６および下ローラ１１７間を通って複写紙返送経路１５４に導入され、該複写紙返送経路１５４を通って進行する。このようにして複写紙が複写紙返送経路１４０に導入された後の適宜の時点で上記ソレノイド１４１が除勢され、送給反転機構１２７における逆送ローラ１３３は実線で示す非作用位置に戻される。以上のようにして、加熱定着ローラ対１０８によって加熱定着された複写紙Ｐは図１において二点鎖線で示すように送給反転経路１２９に導入されるが、送給反転経路１２９が湾曲しているために、湾曲部に沿ってカールする傾向がある。しかるに、図示の実施例においては送給反転経路１２９における湾曲部の外側を形成する外側案内板１３０に複数個の開口１３２が設けられているので、送給反転経路１２９に導入された複写紙Ｐの湾曲部における外側面に上記開口を通して冷気が作用する。従って、送給反転経路１２９に導入された複写紙Ｐは、湾曲部における外側面が冷却されるため、上記カール方向とは逆の方向に作用する収縮が生じて、ペーパーカールの発生が抑制される。
【００１８】
上記のようにして、複写紙返送経路１５４を通して進行せしめられる複写紙は、複写紙再送手段１９０の受台１９２上に導かれ、受台１９２上に図１において右方へ進む。図示の実施例においては、複写紙返送経路１５４を通して比較的長い複写紙が返送される場合には、揺動部材１７１が図１において実線で示す位置から二点鎖線で示す位置に切換えられる。従って、比較的長い複写紙は揺動部材１７２の下面に案内されて受突条１９６の上端縁、即ち受台１９２に受入れられる。また、複写紙返送経路１５４を通して中間の長さの複写紙が返送される場合には、揺動部材１７８が図１において実線で示す位置から図１に二点鎖線で示す位置に切換えられる。従って、中間の長さの複写紙は、揺動部材１７２の上面を通った後に揺動部材１７８の下面に導かれて受突条１９６の上端縁、即ち受台１９２が受入れられる。一方、比較的短い複写紙が返送される場合には、揺動部材１７２および１７８が図１において実線で示す位置に保持される。従って、このときには、複写紙は揺動部材１７２および１７８の上面を通って返送ローラ対１７６および１８２の作用によって受台１９２に受入れられる。複写紙が受台１９２に受入れられ送給されると、送給ローラ２００が複写紙に作用して複写紙を更に右方へ送給し、かくして複写紙の前縁が実線で示す作用位置に位置付けられている停止手段１９８に当接せしめられる。この結果、複写紙の進行が阻止されて複写紙は複写紙再送手段１９０上の所要位置に停止せしめられる。この時点において送給ローラ２００が回転せしめられていても、送給ローラ２００と複写紙との間には滑りが生成され、複写紙が更に前進せしめられることはない。
【００１９】
上述した如くして複写紙再送手段１９０に所要枚数の複写紙が返送されると、搬送切換機構１１４の下案内部材１１９および上案内部材１２０が実線で示す下降位置に戻される。そして、複写紙再送手段１９０における停止手段１９８が二点鎖線で示す非作用位置に位置付けられ、所定方向に回転駆動される送給ローラ２００の作用によって、複写紙再送手段１９０から複写紙が複写紙再供給経路２０２が送出される。複写紙再供給経路２０２に送出された複写紙は、１枚毎複写紙再供給経路２０２を通って前進せしめられて、再び複写紙搬送経路５８に供給される。かかる複写紙は、図１を参照することによって容易に理解される如く、略半円形状の複写紙再供給経路２０２を通ることによって表裏が反転され、既に画像が形成された片面を下面にした状態で複写紙搬送経路５８に供給される。次いで、複写紙は複写紙搬送経路５８を通して搬送される。この際には、転写域１８において複写紙の他面即ち上面にトナー像が転写され、加熱定着ローラ対１０８の作用によってかかるトナー像が複写紙上に定着され、かくして複写紙の他面に画像が形成される。次いで、複写紙は複写紙搬送経路５８から搬送切換機構１１４の上ローラ１１５及び中間ローラ１１６間を通って搬送切換経路１２１に導入される。このとき、複写紙は上記のように除電装置９０を構成する保持部材９１の案内部９１２に当接してペーパーカールが抑制されるとともに、案内部９１２によってガイドされて搬送切換経路１２１に搬送される。そして、この間に複写紙にファイバーブラシ９２が接触して、複写紙に帯電している静電気がファイバーブラシ９２、保持部材９１および定着カバー９３を介して機体にボディーアースされ除電される。上記のようにして搬送切換経路１２１に搬送された複写紙は、排出ローラ１２４、１２５によって受皿１２６に排出される。このようにして、両面に画像が形成されている複写物が得られる。
【００２０】
以上、本発明を図示の実施例に基づいて説明したが、本発明は実施例のみに限定されるものではない。例えば、図示の実施例においては、本発明を両面複写機に適用した例を示したが、複写紙の片面のみに画像を形成する複写機に本発明を適用しても良いことはいうまでもない。
【００２１】
【発明の効果】
本発明による静電複写機の除電装置は以上のように構成され、導電性装着部材に装着される保持部材と、該保持部材の下端部に装着されファイバーブラシとからなり、該保持部材が導電性装着部材に固着される装着部と、該装着部の下端に接続し複写紙移動方向下流側に所定の角度をもって傾斜して形成されファイバーブラシを装着する案内部とによって構成されているので、画像転写域においてトナー像が転写され定着装置によってトナー像が定着された複写紙が、複写紙搬送経路を移動する際に除電装置のファイバーブラシが接触し、複写紙に帯電された静電気がファイバーブラシおよび保持部材を介し導電性装着部材を通して機体にボディーアースされて除電される。また、複写紙は上記除電装置を通過する際に、保持部材の案内部に当接してペーパーカールが抑制されるとともに、案内部によってガイドされて搬送される。このように、本発明による静電複写機の除電装置は、複写紙に帯電された静電気を除去する機能と、定着後の複写紙に生ずるペーパカールの量を抑制させつつ複写紙の搬送ガイド機能とを具備するものである。
【図面の簡単な説明】
【図１】本発明を適用する静電複写機の一実施例を概略的に示す断面図。
【図２】図１に示す静電複写機に本発明による除電装置を適用した装着部を拡大して示す断面図。
【図３】図２に示す除電装置の拡大斜視図。
【符号の説明】
２：ハウジング
４：静止透明板
６：原稿押え部材
８：回転ドラム
２２：帯電用コロナ放電器
２４：現像装置
２６：転写用コロナ放電器
２８：剥離用コロナ放電器
３２：残留トナー除去ブレード
３４：光学系
３６：可動原稿照明ランプ
３８：第１の可動反射鏡
４０：第２の可動反射鏡
４２：第３の可動反射鏡
４４：静止レンズ組立体
４６：静止反射鏡
４８：複写紙供給手段
５８：複写紙搬送経路
８０：給紙テーブル機構
９０：除電装置
９１：保持部材
９２：ファイバーブラシ
９３：定着カバー
９４：固定手段
１０４：搬送ベルト機構
１０８：加熱定着ローラ対
１１４：搬送切換手段
１１５：上ローラ
１１６：中間ローラ
１１７：下ローラ
１１８：搬送ローラ機構
１２１：搬送切換経路
１２２：複写紙排出経路
１２４：排出ローラ
１２５：排出ローラ
１２６：受皿
１２７：送給反転手段
１２８：複写紙返送手段
１２９：送給反転経路
１３０：外側案内板
１３１：内側案内板
１３２：開口
１３３：逆送ローラ
１３５：搬送ローラ
１３６：逆送ローラ作動手段
１４１：ソレノイド
１５０：返送手段
１５２：返送制御手段
１５４：複写紙返送経路
１９０：複写紙再送手段
１９２：受台
１９８：停止手段
２００：送給ローラ
２０２：複写紙再供給経路
２０４：分離ローラ対
２０８：再供給ローラ対
２１２：再供給ローラ対
２１６：再供給ローラ対
９１１：装着部
９１２：案内部
【図１】
0003734525.tif 000002
【図２】
0003734525.tif 000003
【図３】
0003734525.tif 000004